(57)【要約】【課題】運営が異なる複数の駐車場間を車両が往来や通り抜けができ、しかも、売上金の保管業務や売上金の受渡し等が不要で業務管理の容易な複数駐車場管理システムを提供する。【解決手段】隣接する駐車場Ａ，Ｂ間に車両が通行可能な往来部５を設け、往来部５に、入場時刻に基づいて算出した駐車時間に応じて駐車料金を精算し、精算完了によりゲート装置７Ａ，７Ｂを開制御して往来部５の通行を許可し通過時刻を記録した駐車券を発行する精算発券機６Ａ，６Ｂを設け、駐車場出口の出口精算機２Ａ，２Ｂに、精算発券機６Ａ，６Ｂで発行した駐車券から通過時刻を読取り、読取った通過時刻からの経過時間が猶予時間内のときに駐車料金を徴収せずに出場を許可する通過処理機能を設ける構成とした。【選択図】図１
2008090676.tif 000002
【特許請求の範囲】
【請求項１】
運営が異なる隣接する駐車場間で車両を往来可能に管理する複数駐車場管理システムであって、
前記隣接する駐車場間に車両が通行可能な往来部を設け、該往来部で駐車料金を精算した車両に対して当該往来部の通行を許可し、前記往来部を通過してから駐車場出口で出場処理するまでの経過時間が予め設定した猶予時間内のときに、駐車料金を徴収せずに出場を許可する構成としたことを特徴とする複数駐車場管理システム。
【請求項２】
前記往来部に、駐車料金を精算処理し精算完了した車両に往来部の通行を許可し通過車両の通過情報を記録する通行管理装置を設ける一方、駐車場出口に設置され駐車料金を精算処理し精算完了した車両に駐車場からの出場を許可する出口精算機に、前記通過情報に基づいて前記経過時間が前記猶予時間内である車両に対して駐車料金を徴収せずに出場を許可する通過処理機能を設ける構成とした請求項１に記載の複数駐車場管理システム。
【請求項３】
前記通行管理装置は、カード記録媒体に前記通過情報を記録する構成であり、前記出口精算機は、前記カード記録媒体から読取った前記通過情報に基づいて前記通過処理を実行する構成である請求項２に記載の複数駐車場管理システム。
【請求項４】
前記通行管理装置は、通過車両の前記通過情報を記憶管理する構成であり、前記出口精算機は、前記通行管理装置に記憶管理された前記通過情報に基づいて前記通過処理を実行する構成である請求項２に記載の複数駐車場管理システム。
【請求項５】
前記通行管理装置は、前記往来部を開閉するゲート装置と、駐車料金を精算処理し精算完了により前記カード記録媒体に前記通過情報を記録して前記ゲート装置を開制御する精算カード処理機とを備えて構成した請求項３に記載の複数駐車場管理システム。
【請求項６】
前記カード記録媒体が磁気記録可能な駐車券であり、前記精算カード処理機は、利用者に対して前記通過情報として通過時刻を記録した前記駐車券を発行する構成である請求項５に記載の複数駐車場管理システム。
【請求項７】
前記カード記録媒体がＩＣカードであり、前記精算カード処理機は、利用者が提示した前記ＩＣカードに前記通過情報として入場用駐車券情報と通過時刻を記録して返却する構成である請求項５に記載の複数駐車場管理システム。
【請求項８】
前記通行管理装置は、前記往来部を開閉するゲート装置と、駐車料金を精算処理して精算完了後に前記ゲート装置を開制御する料金精算機と、車両が前記ゲート装置を通過した後に前記カード記録媒体に前記通過情報を記録するカード処理機とを備えて構成した請求項３に記載の複数駐車場管理システム。
【請求項９】
前記カード記録媒体が磁気記録可能な駐車券であり、前記カード処理機は、利用者に対して前記通過情報として通過時刻を記録した前記駐車券を発行する発券機である請求項８に記載の複数駐車場管理システム。
【請求項１０】
前記カード記録媒体がＩＣカードであり、前記カード処理機は、利用者が提示した前記ＩＣカードに前記通過情報として入場用駐車券情報と通過時刻を記録して返却するカードリーダライターである請求項８に記載の複数駐車場管理システム。
【請求項１１】
前記料金精算機の背面側に前記カード処理機を一体に組込む構成である請求項８〜１０のいずれか１つに記載の複数駐車場管理システム。
【請求項１２】
前記通行管理装置は、前記往来部を開閉するゲート装置と、駐車料金を精算処理し精算完了後に前記ゲート装置を開制御する料金精算機と、通過車両を特定する車両特定情報を取得する車両特定情報取得装置と、前記通過情報として前記車両特定情報と通過時刻を対応付けて記憶管理する通過情報管理装置とを備えて構成した請求項４に記載の複数駐車場管理システム。
【請求項１３】
前記往来部を通行して入場した車両に対して駐車料金の割引サービスが可能な構成とした請求項１〜１２のいずれか１つに記載の複数駐車場管理システム。
【発明の詳細な説明】
【技術分野】
【０００１】
本発明は、運営の異なる隣接する駐車場間で車両を往来可能に管理する複数駐車場管理システムに関し、特に、駐車料金を各駐車場毎に徴収可能として業務管理を容易とする複数駐車場管理システムに関する。
【背景技術】
【０００２】
例えば、駅前にロータリ等があり駐車場出口付近が混雑するような駐車場では、駐車場からの出場に時間がかかることがある。このような場合、管理、運営の異なる隣接する別の駐車場を通り抜けることができれば、駅前の渋滞緩和等に有効である。また、経営の異なる隣接するデパートとスーパーの駐車場間を買い物等の関係で往来して利用できれば利用者にとっては非常に便利である。
【０００３】
このため、従来、隣接する駐車場間を跨って利用可能とした複数駐車場管理装置が提案されている（例えば、特許文献１参照）。
このものは、隣接する駐車場間を連絡通路で接続すると共に、この連絡通路に通過時刻記録機を設けて車両の通過時刻を記録し、連絡通路を通過した車両が出場するときに、その車両の入庫時刻、連絡通路通過時刻及び出庫時刻に基づいて各駐車場毎の駐車時間と駐車料金を按分して算出し、その合計金額が一括精算されるとゲートを開けて出庫を許可する構成である。
【特許文献１】特開２００１−１４８０３９号公報
【発明の開示】
【発明が解決しようとする課題】
【０００４】
しかしながら、上述の特許文献１では、車両の出庫時にそれぞれの駐車場の駐車料金を一括精算しているため、運営が異なる複数の駐車場の売上金を一時的に一括して保管する必要があり、その後、売上金をそれぞれの駐車場毎に分配する必要がある。このため、運営の異なる駐車場の売上金の保管業務や売上金の受渡し等、管理運営業務が増えると共に複雑化するという問題がある。
【０００５】
本発明は上記問題点に着目してなされたもので、運営が異なる複数の駐車場間を車両が往来や通り抜けができ、しかも、売上金の保管業務や売上金の受渡し等が不要で業務管理の容易な複数駐車場管理システムを提供することを目的とする。
【課題を解決するための手段】
【０００６】
このため、本発明は、運営が異なる隣接する駐車場間で車両を往来可能に管理する複数駐車場管理システムであって、前記隣接する駐車場間に車両が通行可能な往来部を設け、該往来部で駐車料金を精算した車両に対して当該往来部の通行を許可し、前記往来部を通過してから駐車場出口で出場処理するまでの経過時間が予め設定した猶予時間内のときに、駐車料金を徴収せずに出場を許可する構成としたことを特徴とする。
【０００７】
かかる構成では、往来部から隣接する一方の駐車場から他方の駐車場へ行く車両に対しては、往来部で一方の駐車場の駐車料金を精算してから通行することになる。往来部を通過してから猶予時間内に駐車場出口で出場処理することで、駐車料金を徴収されずに出場できる。これにより、他方の駐車場を通り抜けることが可能になる。
【０００８】
具体的には、請求項２のように、前記往来部に、駐車料金を精算処理し精算完了した車両に往来部の通行を許可し通過車両の通過情報を記録する通行管理装置を設ける一方、駐車場出口に設置され駐車料金を精算処理し精算完了した車両に駐車場からの出場を許可する出口精算機に、前記通過情報に基づいて前記経過時間が前記猶予時間内である車両に対して駐車料金を徴収せずに出場を許可する通過処理機能を設ける構成とした。
【０００９】
前記通行管理装置は、請求項３のように、カード記録媒体に前記通過情報を記録する構成であり、前記出口精算機は、前記カード記録媒体から読取った前記通過情報に基づいて前記通過処理を実行する構成であってもよく、また、請求項４のように、通過車両の前記通過情報を記憶管理する構成であり、前記出口精算機は、前記通行管理装置に記憶管理された前記通過情報に基づいて前記通過処理を実行する構成であってもよい。
【００１０】
請求項３の構成において、前記通行管理装置は、請求項５のように、前記往来部を開閉するゲート装置と、駐車料金を精算処理し精算完了により前記カード記録媒体に前記通過情報を記録して前記ゲート装置を開制御する精算カード処理機とを備えて構成してもよく、請求項８のように、前記往来部を開閉するゲート装置と、駐車料金を精算処理して精算完了後に前記ゲート装置を開制御する料金精算機と、車両が前記ゲート装置を通過した後に前記カード記録媒体に前記通過情報を記録するカード処理機とを備えて構成してもよい。
【００１１】
請求項５の構成の場合、請求項６のように、前記カード記録媒体が磁気記録可能な駐車券であり、前記精算カード処理機は、利用者に対して前記通過情報として通過時刻を記録した前記駐車券を発行する構成としてもよく、請求項７のように、前記カード記録媒体がＩＣカードであり、前記精算カード処理機は、利用者が提示した前記ＩＣカードに前記通過情報として入場用駐車券情報と通過時刻を記録して返却する構成としてもよい。
【００１２】
請求項８の構成の場合、請求項９のように、前記カード記録媒体が磁気記録可能な駐車券であり、前記カード処理機は、利用者に対して前記通過情報として通過時刻を記録した前記駐車券を発行する発券機としてもよく、請求項１０のように、前記カード記録媒体がＩＣカードであり、前記カード処理機は、利用者が提示した前記ＩＣカードに前記通過情報として入場用駐車券情報と通過時刻を記録して返却するカードリーダライターとしてもよい。
請求項１１のように、前記料金精算機の背面側に前記カード処理機を一体に組込む構成とするとよい。
【００１３】
請求項４の構成において、請求項１２のように、前記通行管理装置は、前記往来部を開閉するゲート装置と、駐車料金を精算処理し精算完了後に前記ゲート装置を開制御する料金精算機と、通過車両を特定する車両特定情報を取得する車両特定情報取得装置と、前記通過情報として前記車両特定情報と通過時刻を対応付けて記憶管理する通過情報管理装置とを備えて構成するとよい。
【００１４】
請求項１３のように、前記往来部を通行して入場した車両に対して駐車料金の割引サービスが可能な構成とするとよい。
【発明の効果】
【００１５】
本発明の複数駐車場管理システムによれば、各駐車場毎に駐車料金を精算するので、売上金の保管業務や売上金の受渡し等が不要で通常の駐車場運営と変わりが無く業務管理が容易である。また、他の駐車場の通り抜けが可能となるので、駐車場出入口付近の混雑緩和に有効である。また、入場した駐車場が満車でも隣接駐車場の空きスペースに駐車することが可能であり、隣接する各駐車場の利用効率を相互に高めることが可能となる。
【発明を実施するための最良の形態】
【００１６】
以下、本発明の実施形態を図面に基づいて説明する。
図１に、本発明に係る複数駐車場管理システムの第１実施形態のシステム構成図を示す。
図１において、運営が異なる隣接する互いの駐車場Ａ，Ｂは、各入口と出口にそれぞれ発券機１Ａ，１Ｂ、出口精算機２Ａ，２Ｂ及び入出場ゲート装置３Ａ，４Ａと３Ｂ，４Ｂを設けている。また、駐車場Ａ，Ｂ間を仕切る仕切部には互いに往来できるよう往来部５を形成し、該往来部５に、精算発券機６Ａ，６Ｂとゲート装置７Ａ，７Ｂとを備えた通行管理装置を設けている。
【００１７】
前記発券機１Ａは、入場車両に対して例えば入場時刻を磁気記録した駐車券を発行したり定期券による入場処理をしたりするもので、従来公知のものである。具体的には、図２に示すように、発行する駐車券に入場時刻等を印字するプリンタ１１と、現在時刻を計時する時計ユニット１２と、定期券の挿入口と駐車券の排出口を兼ねる開口部を有し定期券に対するデータの読取り及び書込み処理や発行する駐車券に入場時刻を磁気記録する券処理ユニット１３と、時刻表示部１４と、車両検知器１６からの信号に基づいて動作し、前記プリンタ１１、券処理ユニット１３及び時刻表示部１４を統括的に制御すると共に、入場ゲート装置３Ａのゲートバーを開閉制御する制御部１５等を備えて構成される。尚、発券機１Ｂも同じ構成である。
【００１８】
前記出口精算機２Ａは、駐車券から読取った入場時刻と現在時刻から駐車時間を算出してこの駐車時間に基づいて駐車料金を算出して精算処理したり、定期券による出場処理をしたりする従来公知の機能に加えて、往来部５の精算発券機６Ａ，６Ｂの発行したカード記録媒体である駐車券から通過時刻を読取り、読取った通過時刻からの経過時間が予め設定した猶予時間内のときに駐車料金を徴収せずに出場を許可する通過処理機能を備えるものである。具体的には、図３に示すように、例えば駐車券に領収印字するプリンタ２１と、現在時刻を計時する時計ユニット２２と、定期券や駐車券の挿入口を有し定期券データや駐車券に記録された入場時刻等を読取り返却する券処理ユニット２３と、時刻、駐車料金及び投入料金等を表示する表示部２４と、投入された紙幣や硬貨を処理する金銭処理ユニット２５と、車両検知器２７からの信号に基づいて動作し、プリンタ２１、券処理ユニット２３、表示部２４及び金銭処理ユニット２５を統括的に制御し、駐車時間や駐車料金の算出、料金精算処理、前記通過処理機能による通過処理及び出場ゲート装置４Ａのゲートバーを開閉制御する制御部２６等を含んで構成される。尚、駐車場Ｂの出口精算機２Ｂも同じ構成である。
【００１９】
前記精算発券機６Ａは、挿入された駐車券に記録された入場時刻に基づいて算出された駐車時間に応じて駐車料金を精算し、精算完了車両に対して通過情報として往来部通過時刻や往来部通過を示す情報等を記録したカード記録媒体である駐車券を発行したり、定期券による通過処理をしたりするもので、精算カード処理機に相当するものである。その構成は、図４に示すように、図３の出口精算機２Ａと同様の、プリンタ３１、時計ユニット３２、券処理ユニット３３、表示部３４及び金銭処理ユニット３５に加えて、往来部通過時刻や往来部通過を示す情報等を磁気記録した駐車券を発行したり定期券による通過処理をしたりする発券処理ユニット３６と、車両検知器３８からの信号に基づいて動作し、プリンタ３１、券処理ユニット３３、表示部３４、金銭処理ユニット３５及び発券処理ユニット３６を統括的に制御し、駐車時間や駐車料金の算出、料金精算処理、駐車券の発行及びゲート装置７Ａのゲートバーを開閉制御する制御部３７等を含んで構成される。尚、精算発券機６Ｂも同じ構成である。
【００２０】
次に、本実施形態の複数駐車場管理システムの動作を説明する。
往来部５を通行しない各駐車場Ａ，Ｂの利用者に対する駐車管理動作は従来同様であり、以下に駐車場Ａについて簡単に説明する。
車両入場時は、図１には図示しないが例えば入場ゲート装置３Ａのゲートバーを挟んで地中に埋設された一対のループコイル等の車両検知器１６で車両を検知すると、発券機１Ａから入場時刻を磁気記録した駐車券を発行し、駐車券が抜取られると入場ゲート装置３Ａのゲートバーを開制御して入場を許可する。定期券利用者の場合は、挿入された定期券のデータを読取り、有効な定期券であればゲートバーを開制御して入場を許可する。入場ゲート装置３Ａを通過した車両を車両検知器１６で検知するとゲートバーを閉制御する。
【００２１】
車両出場時は、車両検知器２７で車両を検知すると、出口精算機２Ａで駐車券や定期券の挿入を音声で案内し、駐車券が挿入された場合は、駐車券に記録された入場時刻と現在時刻から駐車時間を算出し、算出した駐車時間に基づいて駐車料金を算出し、算出した駐車料金の精算完了により、出場ゲート装置４Ａを開制御して出場を許可する。定期券が挿入された場合は、定期券のデータを読取り有効な定期券であればゲートバーを開制御して出場を許可する。出場ゲート装置４Ａを通過した車両を車両検知器２７で検知するとゲートバーを閉制御して次の車両の出場を規制する。
駐車場Ｂの発券機１Ｂと出口精算機２Ｂによる駐車管理も駐車場Ａと同じであるので、ここでは説明を省略する。
【００２２】
次に、図５及び図６を参照して往来部５を通行した車両の駐車管理動作について、駐車券使用の場合の例を説明する。
図５は、往来部５に設置した精算発券機の動作フローチャートであり、図６は出口精算機の動作フローチャートである。
図５を参照して往来部５を通行して一方の駐車場から他方の駐車場へ行く場合の精算発券機の動作を説明する。尚、精算発券機６Ａ，６Ｂは同じ動作であるので、ここでは駐車場Ａ→駐車場Ｂへ行く場合の精算発券機６Ａの動作について説明する。
【００２３】
ステップ１（図中Ｓ１で示し、以下同様とする）で、ゲート装置７Ａのゲートバーを挟んで地中に埋設した一対のループコイル等の車両検知器３８からの信号に基づいて車両が検知されたか否かを判定し、車両が検知された場合（判定がＹＥＳ）にはステップ２に進む。
ステップ２では、券処理ユニット３３からの信号に基づいて駐車券が挿入されたか否かを判定する。この駐車券は入場時に発行されたもので、入場時刻が磁気記録されている。駐車券の挿入を検知すると判定がＹＥＳとなりステップ３に進む。
ステップ３では、読取った入場時刻と時計ユニット３２の現在時刻から駐車時間を算出し、算出した駐車時間から駐車料金を算出し、表示部３４に駐車料金を表示する。
ステップ４では、金銭処理ユニット３５からの信号に基づいて精算完了か否かを判定し、精算が完了すれば、ステップ５に進む。
ステップ５では、挿入された駐車券に領収印字して返却する。
【００２４】
ステップ６で、駐車券が抜取られたか否かを判定し、駐車券抜取りと判定すれば、ステップ７に進む。
ステップ７では、発券処理ユニット３６により隣接駐車場Ｂ（精算発券機６Ｂの場合は隣接駐車場Ａ）用の駐車券を発行する。この駐車券には、例えば往来部５の通過時刻や往来部通過情報を磁気記録する。
ステップ８では、発行駐車券が抜取られたか否かを判定し、駐車券抜取りと判定すれば、ステップ９に進む。
ステップ９では、ゲート装置７Ａを開制御して車両に対して往来部５から駐車場Ｂ（精算発券機６Ｂの場合は駐車場Ａ）への入場を許可する。
ステップ１０で、車両検知器３８からの信号により車両が通過したか否かを判定し、通過と判定すれば、ステップ１１でゲート装置７Ａを閉制御して他の車両の通行を規制する。
【００２５】
図６を参照して駐車場Ｂの出口精算機２Ｂの動作を説明する。
ステップ２１で、車両検知器２７からの信号に基づいて車両が検知されたか否かを判定し、車両が検知された場合（判定がＹＥＳ）にはステップ２２に進む。
ステップ２２では、券処理ユニット２３からの信号に基づいて駐車券が挿入されたか否かを判定し、駐車券の挿入を検知すると判定がＹＥＳとなりステップ２３に進む。
ステップ２３では、挿入された駐車券に記録された情報を読取り、駐車場Ａ（出口精算機２Ａの場合は駐車場Ｂ）側から往来部５を通行して駐車場Ｂ（出口精算機２Ａの場合は駐車場Ａ）側に入場した車両か否かを判定し、往来部通行車両であればステップ２４に進み、往来部５を通行していない車両であれば後述のステップ３１に進む。
【００２６】
ステップ２４では、精算時刻（現在時刻に相当する）と入場時刻（駐車券に記録された往来部５の通過時刻）の差（往来部５を通過してから精算するまでの経過時間に相当する）が予め設定した猶予時間内か否かを判定し、猶予時間内であればステップ２５に進み、猶予時間を越えていれば後述のステップ２８に進む。
ステップ２５では、出場ゲート装置４Ｂのゲートバーを開制御して出場を許可する。
ステップ２６では、車両検知器２７からの信号により車両が通過したか否かを判定し、通過と判定すれば、ステップ２７で出場ゲート装置４Ｂを閉制御する。
【００２７】
ステップ２４で猶予時間を越えたと判定した車両に対してはステップ２８で、ステップ２４で計算した駐車時間（精算時刻と入場時刻の差）に基づいて駐車料金サービス用の割安料金体系で駐車料金を計算し、ステップ２９で、算出した駐車料金を表示部２４に表示し、ステップ３０で、精算完了か否かを判定し、精算が完了すれば、ステップ２５に進み、その後、ステップ２６，２７の動作となる。これにより、駐車場Ａ（又は駐車場Ｂ）から往来部５を通行して駐車場Ｂ（又は駐車場Ａ）に駐車した利用者に対して駐車料金のサービスを提供することができる。
ステップ２３でＮＯと判定された車両に対してはステップ３１で、駐車券に記録された入場時刻と現在時刻から駐車時間を算出し、算出した駐車時間に基づいて通常料金体系で駐車料金を計算する。その後は、ステップ２９に進み往来部５通過後に猶予時間を越えた車両に対する動作と同様となる。
尚、駐車料金の割引サービスに関しては、精算発券機６Ａ，６Ｂの駐車券発行時に駐車券に割引情報を記録し、この記録情報から駐車料金を算出するようにしてもよい。
【００２８】
次に、定期券利用の場合の精算発券機の処理動作を図７のフローチャートに示し説明する。
ステップ４１で、車両検知器３８からの信号に基づいて車両が検知されたか否かを判定し、車両が検知された場合（判定がＹＥＳ）にはステップ４２に進む。
ステップ４２では、券処理ユニット３３からの信号に基づいて定期券が挿入されたか否かを判定し、定期券の挿入検知で判定がＹＥＳとなりステップ４３に進む。
ステップ４３では、定期券が有効なものか否かを判定し、有効であればステップ４４に進む。
ステップ４４では、カード記録媒体である定期券に往来部５から他方の駐車場に入場したことを示す入場情報を記録して返却する。
ステップ４５で、定期券が抜取られるまで待機し、定期券抜取りと判定すれば、ステップ４６に進む。
その後のステップ４６〜４８の動作は、図５のステップ９〜１１と同様であるので説明を省略する。
【００２９】
ステップ４３で、ＮＯと判定した場合はステップ４９に進み、定期券をそのまま返却し、ステップ５０で、定期券が抜取られるまで待機し、定期券の抜取りを検知すれば、そのまま処理を終了して往来部５の通行を阻止する。この際に、定期券が無効である旨の案内を音声等で行い、利用者に通知する。
尚、定期券利用者に対する出口精算機２Ａ，２Ｂの処理動作は、図７のステップ４４の処理が出場情報を記録する処理になることを除いて精算発券機６Ａ，６Ｂと同様である。
【００３０】
かかる構成によれば、往来部５を利用して駐車場Ａ，Ｂ間を往来するときには、精算発券機６Ａ，６Ｂで駐車料金を精算することで、各駐車場Ａ，Ｂ毎に売上金を管理するので、売上金の保管業務や売上金の受渡し等が不要で通常の駐車場運営と変わりが無く業務管理が容易である。また、例えば駐車場出口が混雑している場合に、往来部５を利用して他方の駐車場出口から出場することが可能である。従って、ロータリ等があって出口付近が混雑しがちな駅前駐車場等において、運営が異なる隣接する駐車場の出口を利用して出場可能にすれば、駅前の渋滞緩和等に有効である。また、入場した駐車場が満車であるときに隣接駐車場の空きスペースに駐車可能であれば、隣接する互いの駐車場Ａ，Ｂの利用効率を相互に高めることが可能となる。
【００３１】
次に、本発明の第２実施形態を説明する。
図８は、第２実施形態のシステム構成図を示す。尚、図１の第１実施形態と同一要素には同一符号を付して説明を省略する。
本実施形態は、図８に示すように、運営が異なる隣接する互いの駐車場Ａ，Ｂ間に設けた往来部５に、精算発券機６Ａ，６Ｂに代えて、それぞれゲート装置７Ａ，７Ｂを挟んで精算機８Ａ，８Ｂと発券機９Ａ，９Ｂを設けて構成した。従って、前記精算機８Ａ，８Ｂ、発券機９Ａ，９Ｂ及びゲート装置７Ａ，７Ｂで通行管理装置を構成する。その他の構成は第１実施形態と同様である。尚、精算機８Ａ，８Ｂ及び発券機９Ａ，９Ｂは、駐車場の出口や入口に配置した図２，３に示す発券機１Ａ，１Ｂと精算機２Ａ，２Ｂと同様の構成である。
【００３２】
次に、図９及び図１０を参照して往来部５を通行した車両の駐車管理動作について、駐車券使用の場合の例を説明する。
図９は、往来部５に設置した精算機８Ａ，９Ａの動作フローチャートであり、図１０はカード記録媒体に通過情報を記録するカード処理機としての発券機８Ｂ，９Ｂの動作フローチャートである。
図９を参照して往来部５を通行して一方の駐車場から他方の駐車場へ行く場合の精算機の動作を説明する。尚、精算機８Ａ，８Ｂは同じ動作であるので、ここでは駐車場Ａ→駐車場Ｂへ行く場合の精算機８Ａの動作について説明する。
【００３３】
図９のステップ６１〜６６までは、図５に示す精算発券機６Ａのステップ１〜６までの動作と同様で、ステップ６１で、車両検知器により車両が検知されたか否かを判定し、車両が検知された場合（判定がＹＥＳ）にはステップ６２で、駐車券が挿入されるまで待機し、挿入されるとステップ６３で、駐車料金を算出して表示する。ステップ６４では、精算完了か否かを判定し、精算完了すれば、ステップ６５で、挿入された駐車券に領収印字して返却し、ステップ６６で、駐車券が抜取られるのを待機し、駐車券抜取りと判定すれば、ステップ６７に進む。
ステップ６７で、ゲート装置７Ａを開制御して車両に対して往来部５から駐車場Ｂ（精算機８Ｂの場合は駐車場Ａ）への入場を許可し、ステップ６８で、車両検知器により車両が通過したことを検知すると、ステップ６９でゲート装置７Ａを閉制御する。
【００３４】
図１０を参照して駐車場Ｂ側の発券機９Ｂの動作を説明する。
ステップ７１で、車両を検知したか否かを判定し、前述の精算機８Ａで駐車料金を精算し、往来部５を通過して駐車場Ｂ（発券機９Ａの場合は駐車場Ａ）に入場した車両を検知すると、ステップ７１の判定がＹＥＳとなり、ステップ７２に進む。
ステップ７２では、入場時刻（往来部の通過時刻）を記録したカード記録媒体としての駐車券を発行し、ステップ７３で駐車券が抜取られるまで待機し、抜取られたと判定すると処理を終了する。
尚、出口精算機２Ｂによる出場処理動作は第１実施形態の駐車券利用時と同様である。
第２実施形態の構成によっても第１実施形態と同様の作用効果を奏することができる。
尚、精算機と発券機を、前面側を精算機、背面側を発券機として使用できる一体型構造のものを設置すれば、精算機と発券機の設置スペースを小さくでき、駐車場スペースを有効利用できる。
【００３５】
次に、定期券利用の場合の精算機の動作を図１１のフローチャートに示し、発券機の動作を図１２のフローチャートに示し説明する。
図１１において、定期券利用者に対する精算機８Ａ，８Ｂの動作は、出口精算機２Ａ，２Ｂと同様で、精算発券機６Ａ，６Ｂの動作における図７のステップ４４の処理が、出場情報を記録する処理になることを除いて精算発券機６Ａ，６Ｂと同様である。
【００３６】
即ち、ステップ８１で、車両が検知されたか否かを判定し、車両が検知されると、ステップ８２で、定期券が挿入されるまで待機し、定期券の挿入によりステップ８３で、定期券が有効か否かを判定し、有効であればステップ８４に進む。ステップ８４では、前述したように定期券に出場情報を記録して返却し、ステップ８５で、定期券が抜取られるまで待機し、定期券が抜取られるとステップ８６でゲート装置を開制御し、ステップ８７で車両通過検知を判定し、車両が検知されるとステップ８８でゲート装置を閉制御する。ステップ８３の判定がＮＯの場合はステップ８９で定期券を返却し、ステップ９０で、定期券が抜取られるまで待機し、定期券の抜取りを検知すれば、処理を終了する。
【００３７】
図１２に示す定期券利用者に対する発券機９Ａ，９Ｂの動作は、ステップ１０１〜１１０までは図７に示す精算発券機６Ａ，６Ｂのステップ４１〜５０までと同様であるが、定期券無効と判定した場合に、既に隣接する他方の駐車場に入場していることから、ステップ１１０の後のステップ１１１で、入場時刻を記録したカード記録媒体である駐車券を発行する処理が加わる。
尚、出口精算機２Ｂによる出場処理動作は第１実施形態の定期券利用時と同様である。
【００３８】
運営が異なる隣接駐車場の形態として上記第１及び第２実施形態では、各駐車場Ａ，Ｂにそれぞれ出入口を設ける構成としたが、例えば図１３に示すように駐車場Ａ，Ｂのどちらか（同図では駐車場Ｂ）を入口のない構成としてもよく、また、図１４に示すように駐車場Ａ，Ｂのどちらか（同図では駐車場Ｂ）を出口のない構成としてもよい。また、図１５に示すように往来部５を連絡通路としてもよい。この場合、例えば隣接する建物の地下や階上に設けた運営の異なる駐車場間を連絡通路（往来部）で往来可能とすれば、他の駐車場を通り抜けることで、目的地に近い駐車場出口を選択して駐車場を出場できるので、利用者の利便性を向上できる。
【００３９】
尚、図１３の構成にあっては、入口のある駐車場側から入口のない駐車場へ往来部５を通行して入場する場合、入口を通過してから往来部を通過するまでの猶予時間を設定し、入口通過から往来部通過までの経過時間が猶予時間内であれば料金徴収なしで通過を許可する構成とする。
また、図１３〜図１５では往来部５に精算発券機６Ａ，６Ｂを設置する構成を示したが、図８のように精算機と発券機を設ける構成としてもよい。
【００４０】
上記各実施形態では、カード記録媒体として磁気記録可能な駐車券を利用する構成を示したが、カード記録媒体として接触式或いは非接触式ＩＣカードを利用可能な構成としてもよい。
この場合、駐車場出入口や往来部５の発券機、精算機、精算発券機に、ＩＣカードに対して情報を読書き可能なカードリーダライター機能を設け、駐車場入口の発券機でＩＣカードに駐車券であることを示す入場用の駐車券情報と入場時刻を書込み、往来部５の精算発券機や発券機では、ＩＣカードに行先駐車場の駐車券であることを示す駐車券情報と通過時刻を書込むようにする。出口精算機での精算処理は、磁気券である駐車券の場合と同じである。接触式と非接触式は、情報の読書き動作が機内にＩＣカードを挿入するか機外にある送受信部にＩＣカードをかざすかの違いだけである。また、ＩＣカードの定期券の場合は、データ形態が電子データか磁気データかの違いだけで処理動作は磁気券の場合と変わらない。
尚、ＩＣカードのみ利用可能なシステムでもよく、この場合、発券機に代えてＩＣカードに対して情報の読書きが可能なカードリーダライターを設ければよい。
【００４１】
次に、通過情報を装置側で管理する場合の本発明に係る複数駐車場管理システムについて説明する。
図１６に、車載器と無線通信して駐車を管理する実施形態のシステム構成図を示す。尚、図１と同一要素には同一符号を付す。
図１６において、駐車場出入口の発券機１Ａ，１Ｂ、出口精算機２Ａ，２Ｂ、往来部５の精算発券機６Ａ，６Ｂに、図２〜図４に示す構成に加えて車載器と無線通信可能な通信機能を付加する。また、発券機１Ａ，１Ｂ、出口精算機２Ａ，２Ｂ及び精算発券機６Ａ，６Ｂとの情報交換により車両の入出場や往来部５の通過を管理する管理装置１０を備える。
【００４２】
前記管理装置１０は、発券機１Ａ，１Ｂから送信される車両を特定する車両特定情報として車載器固有の車載器ＩＤと入場時刻とを対応付けて記憶管理する。また、往来部５の精算発券機６Ａ，６Ｂから送信される車載器ＩＤと通過時刻とを対応付けて往来部５の通過情報として記憶管理する。更に、出口精算機２Ａ，２Ｂからの車載器ＩＤの問合せに基づいて対応する入場時刻や通過時刻の情報を返信する。ここで、管理装置１０が通過情報管理装置に相当し、精算発券機６Ａ，６Ｂの通信装置が車両特定情報取得装置に相当するものである。
【００４３】
次に、本実施形態の動作を説明する。
まず、往来部５を通行しない利用者に対する駐車管理動作について簡単に説明する。
車両が入場する場合は、発券機１Ａ，１Ｂが入場車両の車載器と通信して入場車両を特定する車載器ＩＤを読取り、ゲート装置３Ａ，３Ｂを開制御して入場を許可すると共に、その車載器ＩＤと入場時刻を管理装置１０に送信する。管理装置１０は、前記車載器ＩＤと入場時刻を対応付けて記憶管理する。車両が出場する場合は、出口精算機２Ａ，２Ｂが出場車両の車載器と通信して車載器ＩＤを読取ると、その車載器ＩＤを管理装置１０に問合せる。管理装置１０は、受信した車載器ＩＤに対応付けて記憶されている入場時刻を出口精算機６Ａ，６Ｂへ送信する。その後は、前述した駐車券の場合と同様で、出口精算機６Ａ，６Ｂは入場時刻と現在時刻から駐車時間を算出して駐車料金を計算し、精算完了によりゲート装置４Ａ，４Ｂを開制御して出場を許可する。
【００４４】
次に、往来部５を通行した車両の駐車管理動作について図１７及び図１８を参照して説明する。
図１７は、往来部５の精算発券機の動作フローチャートであり、図１８は出口精算機の動作フローチャートである。ここでは、駐車場Ａから駐車場Ｂへ行き駐車場Ｂから出場する場合の精算発券機６Ａ、出口精算機２Ｂの各動作について説明するが、駐車場Ｂから駐車場Ａへ行き駐車場Ａから出場する場合の精算発券機６Ｂ、出口精算機２Ａも同じ動作となる。
【００４５】
図１７のステップ１２１で、車両が検知されたか否かを判定し、車両が検知されるとステップ１２２に進む。
ステップ１２２では、通信装置により車載器ＩＤを読取ったか否かを判定し、読取るとステップ１２３に進む。
ステップ１２３では、読取った車載器ＩＤを管理装置１０に問合せる。
ステップ１２４では、読取った車載器ＩＤに対応付けられて記憶された入場時刻を管理装置１０から受信したか否かを判定し、受信すればステップ１２５に進む。
ステップ１２５では、受信した入場時刻と現在時刻から駐車時間を算出し、算出した駐車時間から駐車料金を算出し表示する。
ステップ１２６では、精算完了か否かを判定し、精算が完了すればステップ１２７に進む。
【００４６】
その後、ステップ１２７で、ゲート装置７Ａを開制御して車両に対して往来部５から駐車場Ｂへの入場を許可し、ステップ１２８で、車両が通過したか否かを判定して通過と判定すれば、ステップ１２９でゲート装置７Ａを閉制御して他の車両の通行を規制する。そして、ステップ１３０で、読取った車載器ＩＤと通過時刻を管理装置１０へ送信する。管理装置１０は、送信された車載器ＩＤと通過時刻を通過情報として記憶管理する。
【００４７】
図１８を参照して出口精算機２Ｂの動作を説明する。
ステップ１４１で、車両が検知されたか否かを判定し、車両が検知された場合はステップ１４２に進む。
ステップ１４２では、通信装置により車載器ＩＤを読取ったか否かを判定し、読取るとステップ１４３に進む。
ステップ１４３では、読取った車載器ＩＤを管理装置１０に問合せる。管理装置１０は、発券機１Ａ，１Ｂの入場情報と精算発券機６Ａ，６Ｂからの通過情報とを区別して管理しており、問合せの車載器ＩＤの通過情報が存在するか否かを検索し、その検索結果を出口精算機２Ｂに通報する。この際に、車載器ＩＤと対応付けて記憶管理している時刻情報も送信することは言うまでもない。
ステップ１４４では、管理装置１０から受信した検索結果に基づいて読取った車載器ＩＤが往来部５の通過車両か否かを判定し、往来部通行車両であればステップ１４５に進み、往来部５を通行していない車両であればステップ１５２に進む。
【００４８】
ステップ１４５では、現在時刻を精算時刻とし、管理装置１０から送信された通過時刻を入場時刻とし、その差が猶予時間内か否かを判定し、判定がＹＥＳであればステップ１４６に進み、ＮＯであればステップ１４９に進む。
その後のステップ１４６〜１５２の動作は、図６のステップ２５〜３１と同じであり説明を省略する。
【００４９】
上記実施形態は、駐車車両を車載器ＩＤで管理する例を説明したがこれに限らない。例えば、駐車場の出入口及び往来部にカメラを設置して通行車両の車両番号を撮影し、前述の車載器ＩＤと同様に、その車両番号を車両特定情報として時刻情報と対応付けて管理装置１０で記憶管理してもよい。また、駐車券を発行し、発行した駐車券個々に付与した駐車券番号を、車載器ＩＤや車両番号と同様の車両特定情報として時刻情報と対応付けて管理装置１０で管理するようにしてもよい。
【図面の簡単な説明】
【００５０】
【図１】本発明の第１実施形態を示すシステム構成図
【図２】発券機の構成を示すブロック図
【図３】出口精算機の構成を示すブロック図
【図４】精算発券機の構成を示すブロック図
【図５】精算発券機の駐車券利用時の動作を説明するフローチャート
【図６】出口精算機の駐車券利用時の動作を説明するフローチャート
【図７】精算発券機の定期券利用時の動作を説明するフローチャート
【図８】本発明の第２実施形態を示すシステム構成図
【図９】往来部の精算機の駐車券利用時の動作を説明するフローチャート
【図１０】往来部の発券機の駐車券利用時の動作を説明するフローチャート
【図１１】往来部の精算機の定期券利用時の動作を説明するフローチャート
【図１２】往来部の発券機の定期券利用時の動作を説明するフローチャート
【図１３】本発明の別のシステム構成を示す図
【図１４】本発明の更に別のシステム構成を示す図
【図１５】本発明の更に別のシステム構成を示す図
【図１６】通過情報を装置側で管理する場合の本発明の実施形態を示すシステム構成図
【図１７】同上実施形態の精算発券機の動作を説明するフローチャート
【図１８】同上実施形態の出口精算機の動作を説明するフローチャート
【符号の説明】
【００５１】
１Ａ，１Ｂ，９Ａ，９Ｂ    発券機
２Ａ，２Ｂ，８Ａ，８Ｂ    精算機
３Ａ，３Ｂ    入場ゲート装置
４Ａ，４Ｂ    出場ゲート装置
５    往来部
６Ａ，６Ｂ    精算発券機
７Ａ，７Ｂ    ゲート装置
１０    管理装置
【図１】
2008090676.tif 000003
【図２】
2008090676.tif 000004
【図３】
2008090676.tif 000005
【図４】
2008090676.tif 000006
【図５】
2008090676.tif 000007
【図６】
2008090676.tif 000008
【図７】
2008090676.tif 000009
【図８】
2008090676.tif 000010
【図９】
2008090676.tif 000011
【図１０】
2008090676.tif 000012
【図１１】
2008090676.tif 000013
【図１２】
2008090676.tif 000014
【図１３】
2008090676.tif 000015
【図１４】
2008090676.tif 000016
【図１５】
2008090676.tif 000017
【図１６】
2008090676.tif 000018
【図１７】
2008090676.tif 000019
【図１８】
2008090676.tif 000020